(57)【要約】   本発明は、患者１の高品質Ｘ線投影像２４を生成するための画像化システム及び方法に関する。本システムは、回転Ｘ線デバイス１０、例えばコーンビームＣＴガントリ１２及び関連するデータ処理ユニット２０を有する。医療的侵襲の間、患者１の低ドーズ未処理投影像２２が、異なる方向から連続的に生成される。それから関心体積２３が前記投影像２２から再構成され、当該関心体積２３から高品質投影像２４がモニタ２５上の表示のために計算され得る。前記仮想投影像２４の数及び方向は、ユーザによって任意に選択され得る。
2008515522.tif 000002
【特許請求の範囲】
【請求項１】
実時間での物体のＸ線投影像の生成のための画像化システムであって、
ａ）  異なる方向から前記物体のＸ線未処理投影像を生成するための回転Ｘ線デバイスと、
ｂ）  前記未処理投影像のセットから関心体積を再構成すると共に、当該体積及び当該体積の一部分から実時間で少なくとも一つの仮想投影像を計算するためのデータ処理ユニットと
を有する画像化システム。
【請求項２】
前記回転Ｘ線デバイスが、コーンビームＸ線源と２次元Ｘ線検出器とを有することを特徴とする請求項１に記載の画像化システム。
【請求項３】
前記再構成された体積は、前記未処理投影像のセットから再構成され得る前記体積のサブ体積になることを特徴とする請求項１に記載の画像化システム。
【請求項４】
前記回転Ｘ線デバイスは、単一の高品質投影像のドーズに対応する全ドーズで前記Ｘ線未処理投影像のセットを生成することを特徴とする請求項１に記載の画像化システム。
【請求項５】
前記Ｘ線デバイスの前記ドーズは、異なるドーズレベルの間で対話的にスイッチされ得ることを特徴とする請求項１に記載の画像化システム。
【請求項６】
前記データ処理ユニットは、新たな未処理投影像に基づいて再構成された関心体積を連続的に更新することを特徴とする請求項１に記載の画像化システム。
【請求項７】
再構成された関心体積、未処理投影像、計算された仮想投影像、及び／又はそのステレオ画像の表示のためのディスプレイユニットを有することを特徴とする請求項１に記載の画像化システム。
【請求項８】
前記未処理投影像、前記関心体積、及び／又は前記仮想投影像のパラメータの対話的な決定のための入力デバイスを有することを特徴とする請求項１に記載の画像化システム。
【請求項９】
実時間での物体のＸ線投影像の生成のための方法であって、
ａ）異なる方向から前記物体のＸ線未処理投影像を生成するステップと、
ｂ）前記未処理投影像から関心体積を再構成するステップと、
ｃ）前記再構成された関心体積又は当該体積の一部分から少なくとも一つの仮想投影像を計算するステップと
を有する方法。
【請求項１０】
前記実時間での物体のＸ線投影像の生成のためのコンピュータプログラムが記憶される記録担体であって、前記プログラムは請求項９に記載の方法を実行する記録担体。
【発明の詳細な説明】
【技術分野】
【０００１】
本発明は、実時間（リアルタイム）での物体（対象物）のＸ線投影像（Ｘ線映像）の生成のための画像化システム、方法、及び記録担体（キャリア）に関する。
【背景技術】
【０００２】
医療侵襲的手法、例えばカテーテルでの脈管系の検査又は治療（処置）の間、実時間で（即時に）患者の体内のプロセスをモニタリングすることは所望される。これは通常、Ｘ線蛍光透視（X-ray fluoroscopy）、すなわち関心領域の２次元Ｘ線投影像の連続生成によってなされる。しかしながらこのプロシージャの欠点は、投影像の方向が、変化させられたとしても遅くしか変化させられ得ないと共に制限された角度範囲（領域）内でしか変化させられ得ないことにある。更に投影像の品質は、解剖雑音（ノイズ）（anatomical noise）、すなわち視野の前後にもたらされる骨のような構造体のために低くてもよく、投影像に重畳（スーパインポーズ）されてもよい。
【０００３】
米国特許公報第US 6 222 902 B1号公報から、関連した２次元検出器は固定される一方、患者の下で円状に回転し得るＸ線源を用いた特殊画像化システムが知られている。当該デバイスによって生成される投影像は、トモシンセシス（tomosynthesis）の原理による患者内の異なる平行焦点平面（スライス）の再構成のために使用される。更に、一連のスライスを体積（ボリューム）の３次元像に合成することが可能である。  
【発明の開示】
【発明が解決しようとする課題】
【０００４】
この状況に基づいて、本発明の目的は、特に医療侵襲的治療（medical intervention）でモニタするために使用されてもよい患者のＸ線投影像のフレキシブル（柔軟）な生成のための手段を提供することにある。  
【課題を解決するための手段】
【０００５】
この目的は、請求項１に記載の画像化システム、請求項９に記載の方法、及び請求項１０に記載の記録担体（レコードキャリア）によって達成される。好ましい実施例が従属請求項に開示される。
【０００６】
第一の態様によれば本発明は、実時間での物体のＸ線投影像の生成のための画像化システムに関し、当該投影像の品質が、一つ又はそれより多くの点（例えば信号対雑音比及びコントラスト）において、最適パラメータ設定（ドーズ（放射線量）及び被ばく時間等）での従来の直接もたらされるＸ線投影像の品質に等しくなるべきか、又はそれよりも良好になるべきである。更に、用語"実時間"は、ある状況の投影画像が、例えば0.1乃至3秒、好ましくは0.1乃至0.5秒の無視され得るレイテンシで利用可能になる条件のことを意味するであろう。更に時間プロセスは、実際と同じくらい早く、すなわち"スローモーション"効果なしで、投影像の対応する"実時間"シリーズ（列）で実行されるべきである。必要とされる実時間における投影像の利用可能性は、投影像を、医療侵襲的手法におけるモニタリング又はガイダンス（誘導）用途に特に適したものにする。本画像化システムは以下のコンポーネントを有している。すなわち
a)当然のことながら湾曲された軌道、例えば閉じた円上で移動され得るＸ線源を有する回転Ｘ線デバイスである。更に前記デバイスは、異なる方向から、且つ特に低いドーズ設定で物体のＸ線未処理（生）投影像を生成するであろう。
b) Ｘ線デバイスによって生成される上記未処理投影像のセットから関心体積を再構成すると共に再構成された関心体積又は再構成された関心体積のサブ（副）体積（関心領域、ROI）から所定のパラメータ（例えば投影方向）の少なくとも一つの仮想投影像を計算するデータ処理ユニットである。それから前記仮想投影像は、求められる高品質の投影像に対応する。関心体積の再構成は、体積コンピュータ断層撮影法（Volume Computed Tomography (VCT)）から知られている標準的なアルゴリズムで達成されることが可能であり、データ処理ユニットの動作は実際、当該データ処理ユニットに十分な処理電力をもたらすことによって必要とされる速度と同じくらい速くなされ得る。
【０００７】
上記の種類の画像化システムは、固定方向から投影像のシーケンスを生成する従来のＸ線デバイスを超える二つの主な利点を有する。すなわち、第一に、再構成された体積から計算される仮想投影像の使用は、投影方向を任意に選択することを可能にする。従って、例えば、同時に異なる方向からいくつかの投影像を見るため（例えばステレオディスプレイ）、又は機械的な制約のためにＸ線装置自体によって呈され得ない方向から見るため、異なる方向の間で同時にスイッチすることが可能になる。画像化システムの第二の重要な利点は、仮想投影像の品質が、同じ方向からの直接の未処理投影像の品質よりも高くなることにある。このことは、仮想投影像が、異なる方向からの未処理投影像の情報をまとめる（一元化する）という事実によっており、より良好な信号対雑音比を実現すると共に例えば解剖雑音（ノイズ）（anatomical noise）を低減することが可能になる。この点に関して、単一の未処理投影像は低いドーズで生成され得るため、仮想投影像の高い品質が、Ｘ線放射の過度のドーズに患者を被曝させることなしに実現され得ることは注意されるべきである。要するに、画像化システムは、複数の低ドーズ／低品質投影像を生成し、投影像から低品質体積を再構成し、それから前記体積から単一の高品質仮想投影像を計算する。
【０００８】
本発明の好ましい実施例によれば、回転Ｘ線デバイスは、コーンビーム（円錐ビーム）Ｘ線源及び２次元Ｘ線検出器を有する。前記コンポーネントは、（円形）Ｃ−アーム上で互いに堅く固定されていてもよく、及び／又は自身が物体のまわりで回転することを可能にするガントリ（保持台（gantry））に配置されていてもよい。コーンビーム及び２次元検出器アレイは、一つのスイープで物体の体積を投影することを可能にするので、多くの従来のＣＴシステムにおける運動のようにデバイスの螺旋運動は必要にならない。
【０００９】
多くの場合、物体内の小さな領域、例えば脈管系における障害又はカルーテルの先端（チップ）のみが同時に関心の対象になる。このような場合に計算負荷を軽減するため、データ処理ユニットによって再構成される体積は、未処理投影像のセットから最大限に再構成され得る体積よりも小さな領域に選択的に制限されてもよい。
【００１０】
既述のように、未処理投影像は、好ましくは、低ドーズセッティング（設定）で生成され、"低ドーズ"の定量的な規定は、個々の状況、特に画像化される物体の種類に依存する。好ましくは、関心体積の再構成のために使用される投影像のセットに渡って蓄積された全ドーズは、最適の品質（高コントラスト、優れた信号対雑音比等）で生成される単一の投影像のドーズにほぼ等しくなる。
【００１１】
画像化システムの好ましい実施例によれば、Ｘ線デバイスのドーズは、異なるドーズレベルの間で対話的にスイッチされ得る。このことは特に、仮想投影像が生成される低ドーズモードと、再構成された高品質の体積が考慮される高ドーズモードとの間でスイッチすることを可能にする。
【００１２】
選択的な実施例において、回転Ｘ線デバイスは、３６０度よりも多く、すなわち閉じた軌道上の一つの方向に連続的に、且つ少なくとも４Ｈｚ（回転数／秒）の速度で回転する。
【００１３】
更に、回転Ｘ線デバイスは、好ましくは、毎秒１００よりも多くの投影像（フレーム）、好ましくは、毎秒１５０よりも多くの投影のレート（速度）でＸ線未処理投影像を生成する。上述の回転速度と共にこれらの高い速度は、異なる方向からの十分な投影が、実時間で体におけるプロセスを表す体積の再構成に利用可能であることを保証する。
【００１４】
本発明の他の好ましい実施例において、データ処理ユニットは、新たな未処理投影像に基づいて再構成された関心体積を継続的に更新する。このことは、如何なるときにも関心体積が、利用可能な最も新しい未処理投影像から再構成され、それ故に体における実際の状況は常に描写されることが保証されることを意味する。体積の再構成は、ある数（例えば１乃至３０）の新たな未処理投影像が利用可能になる度、又はＸ線デバイスがある角度（例えば３０度）まで動く度に更新されてもよい。
【００１５】
画像化システムは、選択的に、再構成された関心体積、未処理投影像、及び／又は特に計算された仮想投影像の表示のためのディスプレイユニットを有していてもよい。更に、ディスプレイユニットは、未処理投影像、仮想投影像、又は上記体積のステレオ画像、すなわち頭の中で３次元画像に構成され得るように人間の眼の視野角に対応する視野角での画像を表示すべきである。
【００１６】
画像化システムは、未処理投影像、仮想投影像、及び／又は関心体積のパラメータの対話的な決定のための入力デバイス、例えばキーボード、マウス、又はタッチスクリーンを更に有していてもよい。従って、ユーザは例えば、仮想投影像の視野角、関心体積の位置、又は未処理投影像の生成のためのパラメータを適応させてもよい。
【００１７】
本発明は、実時間での物体のＸ線投影像の生成のための方法であって、
ａ）異なる方向から物体の（好ましくは低ドーズ）Ｘ線未処理投影像を生成するステップと、
ｂ）前記未処理投影像から関心体積を再構成するステップと、
ｃ）前記再構成された関心体積又はそのサブ（副）体積（sub-volume）から少なくとも一つの仮想投影像を計算するステップと
を有する方法を更に有する。
【００１８】
最後に、本発明は、記録担体（キャリア）、例えばフロッピディスク（Ｒ）、ハードディスク、又はコンパクトディスク（ＣＤ）（Ｒ）を有しており、その上で、実時間での物体の高品質Ｘ線投影像の生成のためのコンピュータプログラムが記憶され、前記プログラムは、上記種類の方法を実行する。
【００１９】
本方法及び記録担体は、上記の画像化システムと同じ基本的特徴を有する。それらの詳細、利点、及び更なる展開についての更なる情報のために、画像化システムの記載が参照される。
【００２０】
本発明のこれら及び他の態様は、以下に記載された一つ又は複数の実施例から明らかであり、当該実施例を参照して説明される。
【００２１】
以下、本発明は、添付図面による例示によって記載される。
【発明を実施するための最良の形態】
【００２２】
本発明による画像化システムの第一の概略図が図１に示されている。本システムは、例えばＣＴシステムと同じか、又は類似していてもよい回転Ｘ線デバイス１０を有する。デバイス１０は、Ｘ線のコーンビームの生成のためのＸ線源１１と、デバイスの中央に横たわる患者１を通じて伝えられる放射線を測定するためＸ線源に対向して位置される２次元Ｘ線検出器１３（例えばフラットダイナミックＸ線検出器（flat dynamic X-ray detector）ＦＤＸＤ）とを有する。Ｘ線源１１及び検出器１３は円形ガントリ１２においてガイド（誘導）され、好ましくは約５Ｈｚの周波数に同期して患者１のまわりで回転し得る。更にそれらは、回転の間、好ましくは１５０フレーム／秒よりも多くのレートで患者１のＸ線投影像を生成し、前記投影像は、比較的低いドーズで生成される。従って、投影像の連続的な生成にもかかわらす、放射線による患者の負担は制限され得る。
【００２３】
画像化システムは、特にコンピュータ（ワークステーション）２１を有していてもよいデータ処理ユニット２０も更に有する。コンピュータ２１は、適切なソフトウエアと共に、ＣＰＵ、メモリ、及びＩ／Ｏインタフェース部等のような通常のハードウエアコンポーネントを有する。図１において、コンピュータ２１によって実行される主な処理ステップに対応する（ハードウエア及びソフトウエアで実現される）機能コンポーネント又はモジュールが記載されている。
【００２４】
コンピュータ２１の第一のモジュールは、検査の間、Ｘ線デバイス１０によって連続的に生成される２次元未処理投影像２２を収集すると共に記憶する。
【００２５】
次のモジュールにおいて、コンピュータ２１は、従来から知られている方法（例えば背面映写（バックプロジェクション（Backprojection）））を用いて、投影像２２から関心体積の３次元像（表示）２３を再構成する。少なくとも１８０度の角範囲に渡って得られる投影データが、前記体積の体積再構成のために使用される。例えば３０度の角範囲をカバーする新たな投影像が利用可能になるとすぐに体積の再構成は連続的に更新される。
【００２６】
次のステップにおいて、仮想投影像２４が計算されるか、又は再構成された体積２３若しくはそれの好適なサブ体積から前方投影される。前記仮想投影像の特定のパラメータが、キーボード２７、マウス２６、及び／又はタッチスクリーン２５を介してユーザによって対話的にセットされてもよい。計算された仮想投影像２４がそれから、医師の補助のためのモニタ２５上に表示されてもよい。選択的に、二つの又はそれより多くの仮想投影像２４が、モニタ２５上で同時に計算されると共に表示され得る。更に当然のことながら、モニタ２５上に一つ又はそれより多くの未処理投影像２２又は再構成された体積２３を表示することも可能である。高い品質を備える体積の実時間表示（リアルタイムディスプレイ）が所望される場合、単一の未処理投影像２２は生成されるドーズが増加させられてもよいので、投影像及びそれ故に再構成された体積の信号対雑音比はそれによって改善される（"高ドーズモード"と称される）。ユーザはそのとき、二つの動作モード、すなわち、
−  ガイダンスのための実時間３次元画像（ＲＴ−３Ｄ）情報の直接使用（高ドーズモード）と、
−  再構成された体積からの投影像の計算によるＲＴ−３Ｄの間接使用（低ドーズモード）と
の間でスイッチしてもよい。
【００２７】
両方のモードにおいて、映像（視覚）化／投影方向は、進行中のデータ収集の間、自由に選択され得ると共に対話的に修正され得る。
【００２８】
本発明の更なる変形例は、
−  上記二つのモードの間の対話的なスイッチングと、
−  侵襲の間の関心領域の対話的な再規定と、
−  立体表示のためのわずかに異なる投影方向を用いた二つの投影像の計算と、
−  複数の投影方向からの関心領域の同時表示のためのいくつかの投影方向の計算と、
−  （ａ）ステレオ映像化、（ｂ）いくつかの投影方向の同時映像化に対する未処理投影データの使用と
を含んでいてもよい。
【００２９】
本画像化システムは、侵襲的（性）ガイダンスのため、且ついわゆる解剖雑音のために、３次元侵襲的ガイダンスの間、任意の投影方向に対処する利点を有する。本システムは特に、全てのＸ線ガイド脈（血）管侵襲的治療（X-Ray guided vascular intervention）に適用されてもよい。
【００３０】
図２は、関心領域の計算された仮想投影像を表す重ねられた挿入図を用いて、動脈瘤を備える身体領域の三つの未処理投影像（大きな画像）を示している。比較により、解剖雑音の減少及び動脈瘤のずっとより優れた描写が明瞭に示されている。投影像は、侵襲性心臓血管Ｘ線システム上で得られるデータからゲート再構成技術（gated reconstruction technique）を用いて生成されている。
【００３１】
最後に、本願において、用語"有する"は他の構成要素又はステップの存在を排除するものではなく、"a"若しくは"aｎ"は複数形を排除するものではなく、単一のプロセッサ若しくは他のユニットがいくつかの手段の機能を満たしてもよい。本発明は、各々及び全ての新規な特徴並びに特徴の各々及び全ての組み合わせをもたらす。更に、請求項における参照符号はこれらの請求の範囲を限定するものではない。
【図面の簡単な説明】
【００３２】
【図１】本発明による画像化システムを概略的に示す。
【図２】動脈瘤の未処理投影像と、本発明により計算される、対応する仮想投影像との間の比較を概略的に示す。
【図１】
2008515522.tif 000003
【図２】
2008515522.tif 000004
【国際調査報告】
2008515522.tif 000005
2008515522.tif 000006
2008515522.tif 000007